(57)【要約】【課題】  簡易的に他人の不正な利用を防止し，無線通信が想定されていない電子機器間で手軽に無線通信することができる。【解決手段】  電子機器１００の外部端子に有線で接続され，受信端末１３０と無線で接続される送信端末１１０であって，受信端末と無線通信を行う送信通信部２０２と，受信端末が正規の受信端末であることを証明する認証ＩＤの取得を，受信端末に要求するＩＤ取得要求部２０４と，受信端末から受信した認証ＩＤが正規な認証ＩＤであるかどうか判断するＩＤ判断部２０６と，電子機器の外部端子から入力されるアナログ信号をデジタル信号に変換するＡ／Ｄ変換部２１４と，認証ＩＤが正規な認証ＩＤであれば，デジタル信号を受信端末に送信する信号送信部２１６とを備えることを特徴とする，送信端末が提供される。【選択図】    図２
2007097009.tif 000002
【特許請求の範囲】
【請求項１】
第１電子機器の外部端子に接続された送信端末と，第２電子機器の外部端子に接続された受信端末とからなるデータ転送システムであって：
前記送信端末は，
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記第１電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
を備え，
前記受信端末は，
前記送信端末と無線通信を行う受信通信部と；
認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
を備えることを特徴とする，データ転送システム。
【請求項２】
電子機器の外部端子に有線で接続され，受信端末と無線で接続される送信端末であって：
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
を備えることを特徴とする，送信端末。
【請求項３】
前記信号送信部は，前記認証ＩＤを最初に受信した受信端末にのみ前記デジタル信号を送信することを特徴とする，請求項２に記載の送信端末。
【請求項４】
ペアリングスイッチをさらに備え，
前記ペアリングスイッチのオンと前記受信端末における特定の動作とが同時に行われた場合，前記信号送信部は，前記特定の動作が行われた受信端末にのみ前記デジタル信号を送信することを特徴とする，請求項２に記載の送信端末。
【請求項５】
前記受信端末の識別は，前記受信端末を識別可能な端末ＩＤで行い，
前記受信端末から受信した端末ＩＤが未登録であり，かつ，特定の条件を満たしたとき，該端末ＩＤを登録するＩＤ登録部をさらに備えることを特徴とする，請求項２に記載の送信端末。
【請求項６】
前記デジタル信号を，前記端末ＩＤが登録されている１または２以上の受信端末にのみ送信するプライベートモードと，無線通信可能な１または２以上の受信端末に送信するパブリックモードを有し，
前記プライベートモードとパブリックモードを切り替えるモード切替スイッチをさらに備えることを特徴とする，請求項５に記載の送信端末。
【請求項７】
前記端末ＩＤが登録されている受信端末または無線通信可能な受信端末の中から，デジタル信号を送信する１または２以上の受信端末を選択する端末選択スイッチをさらに備えることを特徴とする，請求項６に記載の送信端末。
【請求項８】
前記信号送信部は，前記デジタル信号の送信先として，送受信可能な受信端末より受信専用の受信端末を優先して選択することを特徴とする，請求項２に記載の送信端末。
【請求項９】
前記信号送信部からのデジタル信号の送信が中断されたとき，前記電子機器に送信中断信号を出力する中断出力部をさらに備えることを特徴とする，請求項２に記載の送信端末。
【請求項１０】
前記信号送信部からのデジタル信号の送信が中断されている間，前記デジタル信号を一時的に保持する信号保持部をさらに備え，
前記デジタル信号の送信の再開時に，中断時点からデジタル信号を送信することを特徴とする，請求項２に記載の送信端末。
【請求項１１】
前記電子機器からのアナログ信号は，音声または映像データであることを特徴とする，請求項２に記載の送信端末。
【請求項１２】
電子機器の外部端子に有線で接続され，受信端末と無線で接続されるコンピュータ上で動作するプログラムであって：
前記コンピュータが，
前記受信端末と無線通信を行う送信通信部と；
前記受信端末が正規の受信端末であることを証明する認証ＩＤの取得を，前記受信端末に要求するＩＤ取得要求部と；
前記受信端末から受信した認証ＩＤが正規な認証ＩＤであるかどうか判断するＩＤ判断部と；
前記電子機器の外部端子から入力されるアナログ信号をデジタル信号に変換するＡ／Ｄ変換部と；
前記認証ＩＤが正規な認証ＩＤであれば，前記デジタル信号を前記受信端末に送信する信号送信部と；
して機能することを特徴とする，プログラム。
【請求項１３】
電子機器の外部端子に有線で接続され，受信端末と無線で接続される送信端末を利用してデータを送信するデータ送信方法であって：
前記受信端末と無線通信を開始する送信通信ステップと；
前記受信端末が正規の受信端末であることを証明する認証ＩＤの取得を，前記受信端末に要求するＩＤ取得要求ステップと；
前記受信端末から受信した認証ＩＤが正規な認証ＩＤであるかどうか判断するＩＤ判断ステップと；
前記電子機器の外部端子から入力されるアナログ信号をデジタル信号に変換するＡ／Ｄ変換ステップと；
前記認証ＩＤが正規な認証ＩＤであれば，前記デジタル信号を前記受信端末に送信する信号送信ステップと；
を含むことを特徴とする，データ送信方法。
【請求項１４】
電子機器の外部端子に有線で接続され，送信端末と無線で接続される受信端末であって：
前記送信端末と無線通信を行う受信通信部と；
当該受信端末が正規の受信端末であることを証明する認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
を備えることを特徴とする受信端末。
【請求項１５】
ペアリングスイッチをさらに備え，
前記ペアリングスイッチのオンと前記送信端末における特定の動作とが同時に行われた場合，当該受信端末にのみ前記送信端末からデジタル信号が送信されることを特徴とする，請求項１４に記載の受信端末。
【請求項１６】
前記ＩＤ送信部は，受信端末を識別可能な端末ＩＤも送信することを特徴とする，請求項１４に記載の受信端末。
【請求項１７】
受信許可スイッチをさらに備え，
前記Ｄ／Ａ変換部は，前記受信許可スイッチがオンしている場合にのみ外部端子に前記アナログ信号を出力することを特徴とする，請求項１４に記載の受信端末。
【請求項１８】
前記ＩＤ送信部は，当該受信端末が送信端末としても機能する場合に，その旨も送信端末に送信することを特徴とする，請求項１４に記載の受信端末。
【請求項１９】
前記Ｄ／Ａ変換部から出力されるアナログ信号は，音声または映像データであることを特徴とする，請求項１４に記載の送信端末。
【請求項２０】
電子機器の外部端子に有線で接続され，送信端末と無線で接続されるコンピュータ上で動作するプログラムであって：
前記コンピュータが，
前記送信端末と無線通信を行う受信通信部と；
当該受信端末が正規の受信端末であることを証明する認証ＩＤを記憶したＩＣチップと；
前記送信端末からの認証ＩＤの取得要求に応じて，前記認証ＩＤを送信端末に送信するＩＤ送信部と；
前記送信端末からのデジタル信号を受信する信号受信部と；
前記デジタル信号をアナログ信号に変換し，変換されたアナログ信号を前記第２電子機器の外部端子に出力するＤ／Ａ変換部と；
して機能することを特徴とする，プログラム。
【請求項２１】
電子機器の外部端子に有線で接続され，送信端末と無線で接続される受信端末を利用してデータを受信するデータ受信方法であって：
前記送信端末と無線通信を開始する受信通信ステップと；
前記送信端末からの，当該受信端末が正規の受信端末であることを証明する認証ＩＤの取得要求に応じて，前記認証ＩＤを送信端末に送信するＩＤ送信ステップと；
前記送信端末からのデジタル信号を受信する信号受信ステップと；
前記デジタル信号をアナログ信号に変換し，変換されたアナログ信号を前記第２電子機器の外部端子に出力するＤ／Ａ変換ステップと；
を含むことを特徴とする，データ受信方法。
【発明の詳細な説明】
【技術分野】
【０００１】
本発明は，データ転送システム，送信端末，受信端末，およびそのプログラム，データ送信方法，データ受信方法にかかり，例えば，少なくとも２つの電子機器間のデータ転送を支援するデータ転送システム，送信端末，受信端末，およびそのプログラム，データ送信方法，データ受信方法に関する。
【背景技術】
【０００２】
従来，有線により行われていたデータ通信は，徐々に無線（ワイヤレス）通信方式に置き換わっている。ワイヤレスな環境下において，ユーザは有線ケーブルによる延長距離の制限や利用場所の制限から開放され，メーカはよりポータビリティに優れた商品を提供することが可能となる。
【０００３】
このような無線通信方式は，上記のような制限が無くなる代わりに，あらゆる方向に電波が飛ぶので通信相手を制限できないという問題がある。従って，不正ユーザは無線通信を傍受でき，正規のユーザは，その不正ユーザの傍受を見抜くことすらできない。
【０００４】
そこで，不正なユーザによる無線通信の悪用を防止しつつ，共通の通信装置を利用して，各電子機器間を暗号化して無線通信する技術が知られている（例えば，特許文献１）。かかる技術では，他のユーザによる不正な傍受を防ぐだけでなく，そのために必要なユーザの作業量も削減している。
【０００５】
しかし，このような無線通信を，高速かつ連続した音声データ転送や画像データ転送に適用した場合，暗号化等の上記不正防止手段が却って電子機器の負荷になり，音声や画像の質を損なう結果を生じる。また，処理能力が低い携帯端末においては，暗号化処理を実行すると消費電力が増大し，かつ，処理遅延を引き起こし易くなる。
【０００６】
【特許文献１】特開２００４−１２９２５７号公報
【発明の開示】
【発明が解決しようとする課題】
【０００７】
従って，音声データや画像データ等の高い転送速度および連続性（高い信頼性）が要求される無線通信では，通信を開始する前の段階で相手先の電子機器を確実に認証し，その後の無線通信において，暗号化等の複雑な処理を行うことなく簡易なデータ転送のみを行う構成が望まれる。
【０００８】
本発明は，従来の無線通信が有する上記問題点に鑑みてなされたものであり，本発明の目的は，他人の不正な利用を簡易的に防止し，無線通信が想定されていない電子機器であっても手軽に無線通信することが可能な，新規かつ改良されたデータ転送システム，送信端末，受信端末，およびそのプログラム，データ送信方法，データ受信方法を提供することである。
【課題を解決するための手段】
【０００９】
上記課題を解決するために，本発明のある観点によれば，第１電子機器の外部端子に接続された送信端末と，第２電子機器の外部端子に接続された受信端末とからなるデータ転送システムであって：上記送信端末は，上記受信端末と無線通信を行う送信通信部と；上記受信端末が正規の受信端末であることを証明する認証ＩＤの取得を，上記受信端末に要求するＩＤ取得要求部と；上記受信端末から受信した認証ＩＤが正規な認証ＩＤであるかどうか判断するＩＤ判断部と；上記第１電子機器の外部端子から入力されるアナログ信号をデジタル信号に変換するＡ／Ｄ変換部と；上記認証ＩＤが正規な認証ＩＤであれば，上記デジタル信号を上記受信端末に送信する信号送信部と；を備え，上記受信端末は，上記送信端末と無線通信を行う受信通信部と；認証ＩＤを記憶したＩＣチップと；上記送信端末からの認証ＩＤの取得要求に応じて，上記認証ＩＤを送信端末に送信するＩＤ送信部と；上記送信端末からのデジタル信号を受信する信号受信部と；上記デジタル信号をアナログ信号に変換し，変換されたアナログ信号を上記第２電子機器の外部端子に出力するＤ／Ａ変換部と；を備えることを特徴とする，データ転送システムが提供される。
【００１０】
本発明では，無線通信が想定されていない電子機器であっても，アナログ信号の入出力が可能な外部端子に上記送信端末や受信端末を接続するだけで，無線によるデータの転送を行うことができる。また，本発明では，通信を開始する前の段階で，通信の相手先が信頼のおける受信端末であるかどうかを確実に認証することにより，他人の不正な利用を簡易的に防止することができ，通信が開始された後は高速かつ確実なデータ通信を行うことが可能となる。
【００１１】
また，上記データ転送システムは，複数の装置の集合体で表されるが，各構成要素，機能モジュールがどの装置に属するかを限定しないとしても良く，また，それ自体が単体で存在するとしても良い。
【００１２】
上記課題を解決するために，本発明の別の観点によれば，電子機器の外部端子に有線で接続され，受信端末と無線で接続される送信端末であって：上記受信端末と無線通信を行う送信通信部と；上記受信端末が正規の受信端末であることを証明する認証ＩＤの取得を，上記受信端末に要求するＩＤ取得要求部と；上記受信端末から受信した認証ＩＤが正規な認証ＩＤであるかどうか判断するＩＤ判断部と；上記電子機器の外部端子から入力されるアナログ信号をデジタル信号に変換するＡ／Ｄ変換部と；上記認証ＩＤが正規な認証ＩＤであれば，上記デジタル信号を上記受信端末に送信する信号送信部と；を備えることを特徴とする，送信端末が提供される。上記電子機器からのアナログ信号は，音声または映像データ（オーディオデータ）であっても良い。
【００１３】
かかる構成により，上記データ転送システム同様，無線通信が想定されていない電子機器にも無線によるデータ転送を適用でき，また，高速かつ確実なデータ通信を要する状況下で，不正利用を防止することができる。
【００１４】
上記信号送信部は，上記認証ＩＤを最初に受信した受信端末にのみ上記デジタル信号を送信するとしても良い。
【００１５】
かかる構成により，任意の受信端末とのみ無線通信を行うことができ，不用意に他の受信端末にデータが配信されるのを防止することができる。
【００１６】
ペアリングスイッチをさらに備え，上記ペアリングスイッチのオンと上記受信端末における特定の動作とが同時に行われた場合，上記信号送信部は，上記特定の動作が行われた受信端末にのみ上記デジタル信号を送信するとしても良い。
【００１７】
上記受信端末における特定の動作は，例えば，送信端末同様ペアリングスイッチのオンであるとしても良い。送信端末および受信端末の双方でペアリングスイッチをオンすることによって，無線通信の相手を互いに特定することができ，送信端末は所望する受信端末と無線通信を行い得る。
【００１８】
上記受信端末の識別は，上記受信端末を識別可能な端末ＩＤで行い，上記受信端末から受信した端末ＩＤが未登録であり，かつ，特定の条件を満たしたとき，該端末ＩＤを登録するＩＤ登録部をさらに備えるとしても良い。
【００１９】
かかる端末ＩＤにより，受信端末を個別に特定することができ，所望する受信端末とのみ無線通信を行うことが可能となる。また，ＩＤ登録部の構成により，その所望する受信端末を登録することができ，一旦登録した受信端末は，後述するプライベートモードにおいて，再度，上記の登録処理を行うことなく通信相手として特定することができる。
【００２０】
上記デジタル信号を，上記端末ＩＤが登録されている１または２以上の受信端末にのみ送信するプライベートモードと，無線通信可能な１または２以上の受信端末に送信するパブリックモードを有し，上記プライベートモードとパブリックモードを切り替えるモード切替スイッチをさらに備えるとしても良い。
【００２１】
上記パブリックモードは，送信するコンテンツの内容や無線通信の状況に拘わらず，いずれか１または２以上の受信端末と無線通信を行うモードであり，プライベートモードは，所望する任意の受信端末と無線通信するモードである。ユーザは，プライベートモードで特定の受信端末にのみと無線通信することも，パブリックモードで通信可能なあらゆる受信端末と無線通信することも可能となる。上記モードの切り替えを行うことによって，信頼度の高い装置への迅速な接続が可能となる。
【００２２】
上記端末ＩＤが登録されている受信端末または無線通信可能な受信端末の中から，デジタル信号を送信する１または２以上の受信端末を選択する端末選択スイッチをさらに備えるとしても良い。
【００２３】
かかる構成により，プライベートモードの場合は登録されている複数の受信端末の中から，パブリックモードの場合は無線通信可能な複数の受信端末の中から，状況に応じて任意の受信端末を選択することができる。かかる選択は，例えば，端末選択スイッチを押す毎に受信端末が順次変更されることによって行われるとしても良い。このようにして状況の変化に対応した最適な無線通信環境を提供することが可能となる。
【００２４】
上記信号送信部は，上記デジタル信号の送信先として，送受信可能な受信端末より受信専用の受信端末を優先して選択するとしても良い。
【００２５】
スピーカやイヤホンといった音声出力装置やディスプレイ等の画像出力装置は，通常，受信専用として構成される。送信端末は，受信端末としても動作する送信端末より，上記のような受信専用の受信端末を無線通信先として選択する。このことによって，近くに存在する送信端末に意図に反して接続されてしまう等の問題を回避することができる。
【００２６】
上記信号送信部からのデジタル信号の送信が中断されたとき，上記電子機器に送信中断信号を出力する中断出力部をさらに備えるとしても良い。例えば，データ送信先を他の受信端末に切り替える場合，その切り替え処理の間，デジタル信号の送信が中断される。電子機器は，かかる信号送信部からの送信中断信号を受けて一旦アナログ信号の出力を中断する。また，デジタル信号の送信中断が解除されると，電子機器は，中断された時点からアナログ信号の送信を再開する。
【００２７】
上記信号送信部からのデジタル信号の送信が中断されている間，上記デジタル信号を一時的に保持する信号保持部をさらに備え，上記デジタル信号の送信の再開時に，中断時点からデジタル信号を送信するとしても良い。
【００２８】
上記信号保持部の構成により，電子機器にアナログ信号の停止機能がなくとも，デジタル信号を中断することができ，また，送信の中断が解除されると，中断された時点から所望する無線通信を再開することができる。
【００２９】
また，コンピュータによって，上記送信端末として機能するプログラムも提供され，上記送信端末を利用して受信端末と無線通信を行うデータ送信方法も提供される。
【００３０】
上記課題を解決するために，本発明の別の観点によれば，電子機器の外部端子に有線で接続され，送信端末と無線で接続される受信端末であって：上記送信端末と無線通信を行う受信通信部と；当該受信端末が正規の受信端末であることを証明する認証ＩＤを記憶したＩＣチップと；上記送信端末からの認証ＩＤの取得要求に応じて，上記認証ＩＤを送信端末に送信するＩＤ送信部と；上記送信端末からのデジタル信号を受信する信号受信部と；上記デジタル信号をアナログ信号に変換し，変換されたアナログ信号を上記第２電子機器の外部端子に出力するＤ／Ａ変換部と；を備えることを特徴とする受信端末が提供される。上記Ｄ／Ａ変換部から出力されるアナログ信号は，音声または映像データであっても良い。
【００３１】
かかる構成により，上記データ転送システム同様，無線通信が想定されていない電子機器にも無線によるデータ転送を適用でき，また，高速かつ確実なデータ通信を要する状況下で，不正利用を防止することができる。
【００３２】
ペアリングスイッチをさらに備え，上記ペアリングスイッチのオンと上記送信端末における特定の動作とが同時に行われた場合，当該受信端末にのみ上記送信端末からデジタル信号が送信されるとしても良い。
【００３３】
上記送信端末における特定の動作は，例えば，受信端末同様ペアリングスイッチのオンであるとしても良い。送信端末および受信端末の双方でペアリングスイッチをオンすることによって，無線通信の相手を互いに特定し合う。ユーザのハンドシェイクによるペアリングにより，確実かつセキュリティ性に優れたペアを形成することができる。
【００３４】
上記ＩＤ送信部は，受信端末を識別可能な端末ＩＤも送信するとしても良い。かかる端末ＩＤは，送信端末が送信先として当該受信端末を特定するために利用される。また，送信端末で上記端末ＩＤが登録され，プライベートモードにおいて受信端末を特定するために利用されるとしても良い。
【００３５】
受信許可スイッチをさらに備え，上記Ｄ／Ａ変換部は，上記受信許可スイッチがオンしている場合にのみ外部端子に上記アナログ信号を出力するとしても良い。かかる構成により，送信端末から一方的に送信されるデータを電子機器に中継するかどうか選ぶことができる。
【００３６】
上記ＩＤ送信部は，当該受信端末が送信端末としても機能する場合に，その旨も送信端末に送信するとしても良い。
【００３７】
当該受信端末が，スピーカやイヤホンといった音声出力装置，または，ディスプレイ等の画像出力装置であった場合，通常，受信専用として構成される。かかる受信専用であることを送信端末に伝達することで，送信端末は，受信端末としても機能する送信端末より，上記のような受信専用の受信端末を無線通信先として選択し，近くに存在する送信端末に意図に反して接続されてしまう等の問題を回避することができる。
【００３８】
また，コンピュータによって，上記受信端末として機能するプログラムも提供され，上記受信端末を利用して送信端末と無線通信を行うデータ受信方法も提供される。
【００３９】
かかる送信端末と受信端末は，１つの装置で構成することもできる。また，送信端末や受信端末における各情報は，各々のデータ記憶部に記憶されるとしても良く，別体として独立した装置に記憶されるとしても良い。
【発明の効果】
【００４０】
以上説明したように本発明によれば，通信開始時の認証行為によって他人の不正な利用を簡易的に防止し，無線通信が想定されていない電子機器であっても予め設けられた外部端子に送信端末や受信端末を接続することで手軽に無線通信することができる。また，消費電力やコストの削減も達成できる。
【発明を実施するための最良の形態】
【００４１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４２】
（第１の実施形態：データ転送システム）
図１は，第１の実施形態におけるデータ転送システムの概略的な構成を示したブロック図である。かかるデータ転送システムは，第１電子機器１００の外部端子に接続された送信端末１１０と，第２電子機器１２０の外部端子に接続された受信端末１３０とを含んで構成され，送信端末１１０と受信端末１３０とが，無線通信によって接続されている。かかる無線通信の機能は，送信端末１１０や受信端末１３０が有していれば足り，第１および第２電子機器は，無線通信を行うことが想定されていないとしても良い。
【００４３】
上記第１電子機器や第２電子機器（総称して電子機器とも言う。）は，パーソナルコンピュータ，ワークステーション，ＰＤＡ（Ｐｅｒｓｏｎａｌ  Ｄｉｇｉｔａｌ  Ａｓｓｉｓｔａｎｔ），携帯電話，携帯型音声プレーヤ，家庭ゲーム機，情報家電，スピーカ，イヤホン，ヘッドホン，テレビ会議システム等で形成され，少なくともアナログ信号もしくはデジタル信号によって音声データや映像データを出力する外部端子を備える。
【００４４】
上記送信端末１１０は，第１電子機器１００の外部端子に有線で接続され，第１電子機器１００から音声データや映像データを受信する。他方では，受信端末１３０と無線方式によるデータ通信経路を確保し，上記第１電子機器から取得した音声データや映像データを受信端末１３０に送信する。
【００４５】
上記受信端末１３０は，送信端末１１０との上記無線方式によるデータ通信経路から音声データや映像データを受信する。また，第２電子機器１２０の外部端子に有線で接続され，上記送信端末１１０から取得した音声データや映像データを第２電子機器１２０に送信する。
【００４６】
このような送信端末１１０と受信端末１３０とのペアリング（対応付け）は，図１に示したように，１つの送信端末１１０に対して１つの受信端末１３０を対象としても良いし，複数の受信端末１３０を対象としても良い。従って，１つの音声プレーヤで再生される音声を複数のスピーカやヘッドホンで視聴することも可能となる。
【００４７】
また，上記無線通信は，無線ＬＡＮ（Ｌｏｃａｌ  Ａｒｅａ  Ｎｅｔｗｏｒｋ），ＩｒＤＡ，Ｂｌｕｅｔｏｏｔｈ，ＨｏｍｅＲＦ，ＮＦＣ（Ｎｅａｒ  Ｆｉｅｌｄ  Ｃｏｍｍｕｎｉｃａｔｉｏｎ）等，様々な規格を適用でき，当該データ転送システム固有のプロトコルを採用することもできる。
【００４８】
このような，無線通信では，電波が届く範囲において通信相手を制限できないので，不正ユーザに無線通信を傍受される問題がある。不正なユーザが解読できないように，複雑に暗号化してセキュリティを高めることも考えられるが，本実施形態のような高速かつ連続した音声データ転送や画像データ転送に上記複雑な暗号化を適用した場合，不正防止手段が却って電子機器の負荷になり，音声や画像の質を損なう結果を生じる。
【００４９】
従って，本実施形態では，音声や映像等のオーディオ信号を送信する送信端末１１０が，送信相手である受信端末１３０が信号を受け渡しすることに関して信頼のおける端末であるかどうかを確認するという，通信開始時の認証行為によって，他人の不正な利用を簡易的に防止する。また，無線通信可能な受信端末１３０が複数存在する場合に，とりあえず，いずれかの受信端末１３０に信号を送信するパブリックモードと，受信端末１３０を特定するプライベートモードとが準備されている。
【００５０】
本実施形態によるデータ転送システムは，以下に詳説する送信端末１１０や受信端末１３０を利用して，他人の不正な利用を簡易的に防止し，無線通信が想定されていない電子機器であっても手軽に無線通信させることができる。
【００５１】
（第２の実施形態：送信端末１１０）
図２は，第２の実施形態における送信端末１１０の概略的な構成を示したブロック図である。上記送信端末１１０は，送信端末制御部２００と，送信通信部２０２と，ＩＤ取得要求部２０４と，ＩＤ判断部２０６と，ＩＤ記憶部２０８と，ペアリングスイッチ２１０と，ＩＤ登録部２１２と，Ａ／Ｄ変換部２１４と，信号送信部２１６と，モード切替スイッチ２１８と，端末選択スイッチ２２０とを含んで構成される。
【００５２】
上記送信端末制御部２００は，中央処理装置（ＣＰＵ）を含む半導体集積回路により送信端末１１０全体を管理および制御する。
【００５３】
上記送信通信部２０２は，アンテナ，ＲＦ回路，変復調回路，エンコーダ等から形成され，規格化されたもしくは当該データ転送システム固有の通信方式により，受信端末１３０と無線通信を行う。
【００５４】
上記ＩＤ取得要求部２０４は，受信端末１３０が正規の受信端末であることを証明する認証ＩＤ（Ｉｄｅｎｔｉｆｉｃａｔｉｏｎ）の取得を，受信端末１３０に要求する。ＩＤ取得要求部２０４は，受信端末１３０を識別可能な端末ＩＤの取得も合わせて要求するとしても良い。
【００５５】
上記ＩＤ判断部２０６は，受信端末１３０から受信した認証ＩＤが正規な認証ＩＤであるかどうか判断する。具体的に，ＩＤ判断部２０６は，受信端末１３０からの認証ＩＤと，後述されるＩＤ記憶部２０８に保持された認証ＩＤとを比較し，認証ＩＤが一致した場合に，その受信端末１３０を正規な受信端末１３０と判断する。ここで，ＩＤ記憶部２０８には複数の認証ＩＤが保持され，受信端末１３０の認証ＩＤは，その内のいずれかと一致すれば認証するとしても良い。
【００５６】
上記ＩＤ記憶部２０８は，受信端末１３０の認証ＩＤと比較する１または２以上の正規の認証ＩＤおよび後述するＩＤ登録部２１２により登録される端末ＩＤを記憶する。この端末ＩＤは，別途削除することも可能である。
【００５７】
上記ペアリングスイッチ２１０は，特定の受信端末１３０と無線通信を行うために利用される。送信端末と受信端末とのペアリングは，送信端末１１０が認証ＩＤを最初に受信した受信端末１３０と成されるとしても良く，ペアリングスイッチ２１０によって対応付けられた受信端末１３０と成されるとしても良い。この受信端末１３０とのペアリングは，当該ペアリングスイッチ２１０と受信端末１３０のペアリングスイッチを同時にオンすることによって成されるとしても良い。こうして，無線通信の相手を互いに特定することができる。
【００５８】
上記ＩＤ登録部２１２は，受信端末１３０から受信した端末ＩＤが未登録であり，かつ，特定の条件を満たしたとき，該端末ＩＤを登録するＩＤ登録部２１２をさらに備えるとしても良い。上記特定の条件は，例えば，ペアリングスイッチ２１０の長押し（例えば，１秒以上の間押しっぱなしにすること）であっても良く，その特定の条件を満たしたとき無線通信を行っている受信端末１３０の端末ＩＤがＩＤ登録部２１２によって登録される。送信端末１１０は，この端末ＩＤの登録が完了したことを音声や表示によって示すとしても良い。
【００５９】
上記ＩＤ登録部２１２の構成により，ユーザは，先ず，所望する受信端末１３０とペアリングを行い，その受信端末１３０を登録することができる。ＩＤ登録部２１２に登録された端末ＩＤを有する受信端末は，後述するプライベートモードにおいて，再度，上記の登録処理を行うことなく通信相手として特定することができる。
【００６０】
上記Ａ／Ｄ変換部２１４は，上記第１電子機器の外部端子から入力されるアナログ信号をデジタル信号に変換する。
【００６１】
上記信号送信部２１６は，ＩＤ判断部２０６が上記認証ＩＤを正規な認証ＩＤであると判断した場合，上記デジタル信号を上記受信端末１３０に送信する。また，信号送信部２１６は，認証ＩＤを最初に受信した受信端末１３０にのみ送信するとしても良いし，後述するプライベートモードにおいて受信端末１３０が制限されている場合，その対象となっている受信端末１３０にのみ送信するとしても良い。上記デジタル信号は，ＰＣＭ（ｐｕｌｓｅ  ｃｏｄｅ  ｍｏｄｕｌａｔｉｏｎ）形式の信号であっても良く，他の様々なデジタル形式の信号を採用することができる。
【００６２】
上記モード切替スイッチ２１８は，プライベートモードとパブリックモードを切り替える。ここで，プライベートモードは，上記デジタル信号を，上記端末ＩＤが登録されている１または２以上の受信端末１３０にのみ送信するモードであり，パブリックモードは，無線通信可能な１または２以上の受信端末１３０に送信するモードである。ユーザは，プライベートモードで特定の受信端末１３０にのみと無線通信することも，パブリックモードで通信可能なあらゆる受信端末と無線通信することも可能となる。
【００６３】
このような受信端末１３０の制限は，周波数ホッピング方式を利用したキャリア同期によって他の受信端末を排除することで行うとしても良いし，受信端末を１対１または１対複数に限定することができる他の様々な通信方式を利用するとしても良い。
【００６４】
上記端末選択スイッチ２２０は，プライベートモードの場合，端末ＩＤが登録されている受信端末１３０の中から，パブリックモードの場合，無線通信可能な受信端末１３０の中から，デジタル信号を送信する１または２以上の受信端末を選択する。具体的には，ユーザが端末選択スイッチ２２０を押圧する毎に，シーケンスに受信端末１３０が変更されるとしても良いし，ディスプレイ等の表示を確認しながらリスト形式で変更することもできる。かかる構成により，登録された複数の受信端末１３０から，状況に応じて無線通信を行う受信端末１３０を選択することができる。このようにして，状況の変化に応じた最適な無線通信環境を提供することが可能となる。
【００６５】
かかる送信端末１１０の構成により，上記データ転送システム同様，無線通信が想定されていない電子機器にも無線によるデータ転送を適用でき，また，高速かつ確実なデータ通信を要する状況においても簡易な認証で不正利用を防止することができる。
【００６６】
また，上記送信端末１１０として機能するプログラムや，そのプログラムを記憶した記憶媒体も提供される。
【００６７】
（具体的な回路の実施形態）
図３は，第２の実施形態による送信端末１１０の概略的な構成を示した回路ブロック図である。ここでは，上述した送信端末１１０をさらに具体的な回路で表している。
【００６８】
上記送信端末１１０は，Ａ／Ｄ変換部２１４と，信号処理回路２５０と，不揮発性メモリ２５２と，変調回路２５４と，アンテナ２５６と，動作表示部２５８と，電力生成部２６０と，ペアリングスイッチ２１０と，モード切替スイッチ２１８とを含んで構成される。
【００６９】
上記Ａ／Ｄ変換部２１４は，上述したように，第１電子機器１００の外部端子から入力されるアナログ信号（電気信号）をデジタル信号に変換する。
【００７０】
上記信号処理回路２５０は，信号処理を行う半導体集積回路であって，送信端末１１０全体を管理および制御する。上記不揮発性メモリ２５２は，ＲＯＭとＲＡＭの両機能を有し，電源がオフしても記憶されている内容が消えない。従って，送信端末１１０に保持すべき，例えば，認証ＩＤや端末ＩＤ等のデータが書き換えられ，その後，電源が供給されない状況になったとしても，そのデータは保持される。上記ＲＯＭは，信号処理回路２５０に読み込まれ送信端末１１０を制御するプログラムが予め記憶されている。上記不揮発性メモリ２５２はフラッシュメモリであっても良い。
【００７１】
上記変調回路２５４は，Ａ／Ｄ変換部２１４で変換され，信号処理回路２５０によって無線通信可能なデータ形式に加工されたデジタル信号を，その無線方式に従ったキャリアとミキシングする。また，変調回路２５４はＲＦ回路を含むとしても良い。
【００７２】
上記アンテナ２５６は，変調回路２５４により生成された無線送信可能な電気信号を電波信号に変換する。また，アンテナ２５６は，上記変調回路２５４と共に，信号処理回路２５０に一体形成されるとしても良い。
【００７３】
上記動作表示部２５８は，例えば，ＬＥＤやＬＣＤといった視覚的に動作状況を確認できる簡易表示装置であって，例えば，ユーザは，ＬＥＤの点灯，消灯，点滅等により，通信状態や電源の起動状態を把握することができる。また，このような状態を音声によって把握することもできる。
【００７４】
上記電源生成部２６０は，受信端末１３０と通信が接続されている間，第１電子機器１００からもしくは自己の電池からの電力の供給を受け，Ａ／Ｄ変換部２１４，信号処理回路２５０，不揮発性メモリ２５２，変調回路２５４に電力を供給する。
【００７５】
上記ペアリングスイッチ２１０は，受信端末１３０のペアリングスイッチ３１２と同時にオンすることによって，その受信端末１３０を通信相手として選択するのに利用される。ペアリングスイッチは，モーメンタリスイッチやその他のスイッチを適用可能である。上記モード切替スイッチ２１８は，プライベートモードとパブリックモードを切り替える。
【００７６】
（第３の実施形態：受信端末１３０）
続いて，上述した送信端末１１０と通信接続される受信端末１３０を詳細に説明する。
【００７７】
図４は，第３の実施形態における受信端末１３０の概略的な構成を示したブロック図である。上記受信端末１３０は，受信端末制御部３００と，受信通信部３０２と，ＩＣチップ３０４と，ＩＤ送信部３０６と，信号受信部３０８と，Ｄ／Ａ変換部３１０と，ペアリングスイッチ３１２と，受信許可スイッチ３１４とを含んで構成される。
【００７８】
上記受信端末制御部３００は，中央処理装置（ＣＰＵ）を含む半導体集積回路により受信端末１３０全体を管理および制御する。
【００７９】
上記受信通信部３０２は，アンテナ，ＲＦ回路，変復調回路，デコーダ等から形成され，規格化されたもしくは当該データ転送システム固有の通信方式により，送信端末１１０と無線通信を行う。
【００８０】
上記ＩＣチップ３０４は，当該受信端末１３０が正規の受信端末であることを証明する認証ＩＤを記憶する専用ＲＯＭで形成される。この認証ＩＤは，各ベンダーが供給する共通のベンダーＩＤであっても良い。本実施形態では，このような認証ＩＤによるＲＯＭ化されたハードウェアプロテクトと，無線通信の独自のプロトコルによって，不正な利用および著作権侵害を回避する。
【００８１】
例えば，上記のような認証ＩＤを備えるＩＣチップ３０４をベンダー側で管理し，ベンダーが生成もしくはベンダーの認可を得たサードパーティがＩＣチップ３０４を製造することで，無線通信の対象装置を制限できる。従って，ベンダーは，このようなＩＣチップ３０４をどの受信端末１３０に付与するかコントロールすることが可能となる。送信端末１１０は，認証ＩＤを確認できた受信端末１３０のみと無線通信（コンテンツの提供）を行う。
【００８２】
上記ＩＤ送信部３０６は，送信端末１１０からの認証ＩＤの取得要求に応じて，ＩＣチップ３０４内の認証ＩＤを送信端末１１０に送信する。ＩＤ送信部３０６は，認証ＩＤと共に端末ＩＤも送信するとしても良い。かかる端末ＩＤは，送信端末１１０が送信先として当該受信端末１３０を特定するために利用される。また，送信端末１１０で上記端末ＩＤが登録され，プライベートモードにおいて受信端末１３０を特定するために利用されるとしても良い。
【００８３】
上記ＩＤ送信部３０６は，受信端末１３０が送信端末１１０としても機能する場合に，その旨も送信端末１１０に送信するとしても良い。当該受信端末１３０が，スピーカやイヤホンといった音声出力装置，または，ディスプレイ等の画像出力装置であった場合，通常，受信専用として構成される。かかる受信専用であることを送信端末１１０に伝達することで，送信端末１１０は，送信端末１１０としても機能する受信端末１３０より，上記のような受信専用の受信端末１３０を無線通信先として優先的に選択する。
【００８４】
上記信号受信部３０８は，送信端末１１０からのデジタル信号を受信する。かかる信号受信部３０８は，後述するＤ／Ａ変換部３１０の変換タイミングに合わせてデジタル信号をＤ／Ａ変換部３１０に送信するためのバッファを含むとしても良い。
【００８５】
上記Ｄ／Ａ変換部３１０は，デジタル信号をアナログ信号に変換し，第２電子機器１２０の外部端子を通じて，第２電子機器１２０にアナログ信号を送信する。かかるアナログ信号は，音声または映像データであっても良い。ここでは，Ｄ／Ａ変換部３１０によってアナログ信号が生成されているが，かかる場合に限られず，著作権者が認める範囲の信号形式であれば，デジタル信号で出力することも可能である。
【００８６】
上記ペアリングスイッチ３１２は，特定の送信端末１１０と無線通信を行うために利用される。この送信端末１１０とのペアリングは，当該ペアリングスイッチ３１２と送信端末１１０のペアリングスイッチ２１０とを同時にオンすることによって成されるとしても良い。こうして，無線通信の相手を互いに特定することができる。
【００８７】
上記受信許可スイッチ３１４は，第２電子機器の外部端子への出力の許可を示す。Ｄ／Ａ変換部３１０は，受信許可スイッチ３１４がオンしている場合にのみ外部端子にアナログ信号を出力するとしても良い。かかる構成により，送信端末１１０から一方的に送信してくるデータを電子機器に中継するかどうか選ぶことができる。
【００８８】
上述した受信端末１３０により，上記データ転送システム同様，無線通信が想定されていない電子機器にも無線によるデータ転送を適用でき，また，高速かつ確実なデータ通信を要する状況においても簡易な認証で不正利用を防止することができる。
【００８９】
また，コンピュータによって，上記受信端末１３０として機能するプログラムや，そのプログラムを記憶した記憶媒体も提供される。
【００９０】
（具体的な回路の実施形態）
図５は，第３の実施形態による受信端末１３０の概略的な構成を示した回路ブロック図である。ここでは，上述した受信端末１３０をさらに具体的な回路で表している。
【００９１】
上記受信端末１３０は，アンテナ３５０と，復調回路３５２と，信号処理回路３５４と，不揮発性メモリ３５６と，Ｄ／Ａ変換部３１０と，動作表示部３５８と，電力生成部３６０と，ペアリングスイッチ３１２と，受信許可スイッチ３１４とを含んで構成される。
【００９２】
上記アンテナ３５０は，送信端末１１０からの電波を受信して，電気信号に変換する。また，後述する信号処理回路３５４に一体形成されるとしても良い。
【００９３】
上記復調回路３５２は，アンテナ３５０からの電気信号を，信号処理回路３５４で処理可能な電気信号に復調する。また，復調回路３５２はＲＦ回路を含むとしても良い。
【００９４】
上記信号処理回路３５４は，信号処理を行う半導体集積回路であって，受信端末１３０全体を管理および制御する。上記不揮発性メモリ３５６は，ＲＯＭとＲＡＭの両機能を有し，電源がオフしても記憶されている内容が消えない。従って，受信端末１３０に保持すべき，例えば，自己の端末ＩＤや，認証ＩＤ等のデータが書き換えられ，その後，電源が供給されない状況になったとしても，そのデータは保持される。上記ＲＯＭは，信号処理回路３５４に読み込まれ受信端末１３０を制御するプログラムが予め記憶されている。
【００９５】
上記Ｄ／Ａ変換部３１０は，信号処理回路３５４で処理されたデジタル信号を，第２電子機器の外部端子へ出力するためのアナログ信号に変換する。
【００９６】
上記動作表示部３５８は，例えば，ＬＥＤやＬＣＤといった視覚的に動作状況を確認できる簡易表示装置であって，ユーザは，例えば，ＬＥＤの点灯，消灯，点滅等により，通信状態や電源の起動状態を把握することができる。
【００９７】
上記電源生成部３６０は，送信端末１１０と通信が接続されている間，第２電子機器１２０からもしくは自己の電池からの電力の供給を受け，復調回路３５２，信号処理回路３５４，不揮発性メモリ３５６，Ｄ／Ａ変換部３１０に電力を供給する。
【００９８】
上記ペアリングスイッチ３１２は，ユーザにオンさせることによって，送信端末１１０と接続を確立させる。
【００９９】
上記受信許可スイッチ３１４は，ユーザに，第２電子機器１２０の外部端子への出力を行うかどうかの判断を行わせるスイッチである。
【０１００】
（第４の実施形態：データ送信方法，データ受信方法）
以下に，第１電子機器１００の外部端子に接続された送信端末１１０と，第２電子機器１２０の外部端子に接続された受信端末１３０とを利用して，送信端末１１０からデータを送信するデータ送信方法と，受信端末１３０でデータを受信するデータ受信方法とを合わせて説明する。
【０１０１】
図６Ａ，Ｂは，第４の実施形態におけるデータ送信方法およびデータ受信方法の処理の流れを示したフローチャートである。かかるデータ送信方法とデータ受信方法における送信端末１１０と受信端末１３０とは，１対１もしくは１対複数の関係で構成することが可能であるが，ここでは，理解を容易にするため，１対１の場合のみ挙げて説明する。
【０１０２】
先ず，送信端末１１０は，受信端末１３０に対してアクセスを試み，無線通信を開始するための開始処理を行う（Ｓ４００）。送信端末１１０と受信端末１３０との無線通信経路が確保されると，送信端末１１０は，通信を行っている受信端末１３０が正規の受信端末であるかどうか確認するために，認証ＩＤおよび端末ＩＤの取得を要求する（Ｓ４０２）。
【０１０３】
受信端末１３０は，上記送信端末１１０からのＩＤ取得要求に応じて，自己の認証ＩＤおよび端末ＩＤを送信端末１１０に送信する（Ｓ４０４）。送信端末１１０は，受信端末１３０から受信した認証ＩＤが正規な認証ＩＤであるかどうか判断する（Ｓ４０６）。ここで，認証ＩＤであることが確認できなかった場合，当該受信端末１３０は送信対象から除外される。
【０１０４】
続いて，送信端末１１０がプライベートモードに設定されているかどうかが判断され（Ｓ４１８），パブリックモードであれば，認証ＩＤを最初に受信した受信端末１３０を送信先として選択し（Ｓ４２０），プライベートモードであれば，送信端末１１０に登録された端末ＩＤを参照して，例えば，最近登録された受信端末１３０を選択する（Ｓ４２２）。
【０１０５】
次に送信端末１１０は，端末選択スイッチ２２０がオンされているかどうか確認し（Ｓ４２４），オンされていなければ，受信端末の選択処理を行わず，オンされていれば，設定されているモードを再度参照する（Ｓ４２６）。かかるモードがプライベートモードであれば，送信端末１１０に登録された複数の端末ＩＤを順次シフトして，特定の受信端末１３０もしくは登録されている全ての受信端末１３０を選択する（Ｓ４２８）。また，モードがパブリックモードであれば，無線通信可能な複数の受信端末１３０を順次シフトし，特定の受信端末１３０もしくは無線通信可能な全ての受信端末１３０を選択する（Ｓ４３０）。
【０１０６】
続いて，送信端末１１０は，送信端末１１０のペアリングスイッチ２１０と受信端末１３０のペアリングスイッチ３１２が同時にオンされているかどうかを判断し（Ｓ４４０），オンされていれば，送信端末１１０は，受信端末１３０のみを無線通信対象として送信先を変更する（Ｓ４４２）。
【０１０７】
引き続き図６Ｂにおいて，送信端末１１０は，端末ＩＤの登録スイッチ，ここでは，上記ペアリングスイッチ２１０が長押しされているかどうかを判断し（Ｓ４５０），ユーザによる端末ＩＤの登録要求が確認された場合，その端末ＩＤが既にＩＤ記憶部２０８に登録されているかどうか確認して（Ｓ４５２），未登録の場合，その端末ＩＤを登録する（Ｓ４５４）。
【０１０８】
このように送信すべき受信端末１３０が特定されると，送信端末１１０は，第１電子機器１００の外部端子から入力されるアナログ信号をデジタル信号に変換し（Ｓ４５６），かかるデジタル信号を，通信対象として特定した受信端末１３０に送信する（Ｓ４５８）。
【０１０９】
受信端末１３０は，送信端末１１０からのデジタル信号を受信し（Ｓ４６０），受信したデジタル信号をアナログ信号に変換して（Ｓ４６２），変換されたアナログ信号を第２電子機器１２０の外部端子に出力する（Ｓ４６４）。
【０１１０】
上記のようなデータ送信方法とデータ受信方法によって，無線通信が想定されていない電子機器であっても，アナログ信号の入出力が可能な外部端子に上記送信端末や受信端末を接続するだけで，無線によるデータの転送を行うことができる。また，通信を開始する前の段階で，通信の相手先が信頼のおける受信端末であるかどうかを認証することにより，簡易的に他人の不正な利用を防止することができ，通信が開始されたあとは高速かつ確実なデータ通信を行うことが可能となる。
【０１１１】
（第５の実施形態：受信端末１３０の切り替え）
本実施形態では，送信端末１１０と受信端末１３０とが通信している最中であっても，その受信端末１３０を他の受信端末１３０に変更することができる。また，その変更処理によって本来視聴できるはずのコンテンツが視聴できなくなるといったことを回避する。
【０１１２】
図７は，第５の実施形態における送信端末１１０の概略的な構成を示したブロック図である。上記送信端末１１０は，送信端末制御部２００と，送信通信部２０２と，ＩＤ取得要求部２０４と，ＩＤ判断部２０６と，ペアリングスイッチ２１０と，ＩＤ登録部２１２と，Ａ／Ｄ変換部２１４と，信号送信部２１６と，モード切替スイッチ２１８と，端末選択スイッチ２２０と，中断出力部５００を含んで構成される。
【０１１３】
ここで，第２の実施形態における構成要素として既に述べた送信端末制御部２００と，送信通信部２０２と，ＩＤ取得要求部２０４と，ＩＤ判断部２０６と，ペアリングスイッチ２１０と，ＩＤ登録部２１２と，Ａ／Ｄ変換部２１４と，信号送信部２１６と，モード切替スイッチ２１８と，端末選択スイッチ２２０とは，実質的に機能が同一なので重複説明を省略し，ここでは，新たな機能を有す中断出力部５００を主に説明する。
【０１１４】
図８は，受信端末１３０の切り替えを説明するための説明図である。受信端末１３０としての１つのヘッドホン５１０から音声を出力していたが，他の受信端末１３０であるスピーカ５１２に音声の出力を変更する場合，そのスピーカを通信対象として認証するための認証処理が必要となる。このとき，上記中断出力部５００は，上記認証処理の間，受信端末１３０へのデジタル信号を中断するため，第１電子機器１００に送信中断信号を出力する。
【０１１５】
上記中断出力部５００から送信中断信号が受信された場合，第１電子機器１００は，一旦アナログ信号の出力を停止する。また，デジタル信号の送信中断が解除されると，第１電子機器１００は，中断された時点からアナログ信号の送信を再開する。
【０１１６】
図９は，このような受信端末１３０の切り替え時に中断される音声もしくは映像のイメージを示した説明図である。図９を参照すると「０：３２」の時点で受信端末１３０の変更が介しされ，再生が中断しているが，「１：１３」の時点で受信端末１３０の変更が完了し，再生が再開する。このとき，再生は中断されるものの，中断された時点から再生が再開されるので，その「０：４１」の間の再生が行われないといった事態は起こらない。即ち，ユーザは，コンテンツを完全な形で視聴できる。
【０１１７】
また，第１電子機器１００には，上記のようなアナログ信号の停止機能が無い場合も想定されるので，送信端末１１０は，上記中断出力部５００の代わりに信号保持部（図示せず）を備えるとしても良い。かかる信号保持部は，ＦＩＦＯバッファ等のメモリから構成され，信号送信部２１６からのデジタル信号の送信が中断されている間，第１電子機器１００から受信する音声もしくは映像信号を一時的に保持する。従って，デジタル信号の送信が再開される時点，例えば，図９においては「１：１３」の時点で，保持しているデジタル信号を，保持した順に送信する。
【０１１８】
上記信号保持部の構成により，電子機器にアナログ信号の停止機能がなくとも，デジタル信号を中断することができ，また，送信中断が解除されると，中断された時点から所望する無線通信を再開することができる。
【０１１９】
（第６の実施形態：送信端末１１０の切り替え）
本実施形態では，送信端末１１０と受信端末１３０とが通信している最中であっても，その送信端末１１０を他の送信端末１１０に変更することができる。また，新たな送信端末１１０が通信対象として変更前の送信端末１１０を選択することなく，もともとの受信端末１３０を優先的に選択する。
【０１２０】
図１０は，送信端末１１０の切り替えを説明するための説明図である。スピーカやイヤホンといった音声出力装置やディスプレイ等の画像出力装置は，通常，受信専用として構成される。送信端末１１０は，受信端末１３０としても機能する送信端末１１０より，上記のような受信専用の受信端末１３０を無線通信先として優先的に選択し，近くに存在する送信端末に意図に反して接続されてしまう等の問題を回避することができる。従って，新たな送信端末１１０としての音声プレーヤ５３０の信号送信部２１６は，送受信可能な受信端末もしくは送信端末，例えば，図１０においては音声プレーヤ５３２ではなく，受信専用の受信端末，例えばスピーカ５４０に，デジタル信号を優先して送信する。また，同様に，送信専用の送信端末より送受信可能な送信端末が優先される。
【０１２１】
（第７の実施形態：具体的実施形態）
以下，上述した送信端末１１０や受信端末１３０の具体的な実施形態と，その送信端末１１０や受信端末１３０の接続先である第１電子機器１００および第２電子機器１２０の実施形態を詳述する。
【０１２２】
図１１は，第１電子機器１００における送信端末１１０の接続位置を説明するための説明図である。図１１に示したような第１電子機器１００としての音声プレーヤでは，イヤホンやヘッドホンと接続するため，また，音声プレーヤを外部操作するためのリモートコントローラを接続するための４端子からなる外部端子６００が設けられている。
【０１２３】
このような外部端子６００には，電源，ＧＮＤ，およびオーディオ信号（ここでは，音声のアナログ信号）が全て揃っており，接続端子それぞれの配置も共通であることから，送信端末１１０の接続点としては理想的と言える。従って，送信端末１１０は，かかる外部端子６００を利用できるように形成することができる。
【０１２４】
図１２は，第１電子機器１００における送信端末１１０の接続位置を説明するための説明図である。図１２に示したような第１電子機器１００としてのゲームプレーヤでは，図１１同様に，イヤホンやヘッドホンを接続するための６端子からなる外部端子６１０が設けられている。従って，図１２の場合同様に，送信端末１１０は，かかる外部端子６１０を利用できるように形成することができる。
【０１２５】
図１３は，第１電子機器１００に送信端末１１０を接続した状態を表した外観図である。ここでは，４端子や６端子の外部端子を有する第１電子機器１００それぞれに送信端末１１０が接続されている。かかる送信端末１１０の接続によりイヤホンやヘッドホンを利用できなくなるが，そもそも送信端末１１０の目的がオーディオ信号の無線送信であることから問題とならない。また，送信端末１１０は，第１電子機器１００の外部端子から電源の供給も受けることができる。
【０１２６】
図１４，１５，１６は，第２電子機器１２０における受信端末１３０の接続位置を説明するための説明図である。図１４に示したような第２電子機器１２０としてのオーディオ（スピーカ）では，オーディオ信号入力のための外部端子か，スピーカへの音声入力のための外部端子に受信端末１３０を接続する。同様に，図１５に示したようなカセット型信号変換器では，外部の音声入力端子に受信端末１３０を接続するとしても良いし，予め受信端末１３０を内蔵して一体形成するとしても良い。特に図１５では，受信端末１３０を内蔵して一体形成した場合を表している。また，図１６のような第２電子機器１２０としてのヘッドホンには，ヘッドホンと接続された超小型リモコンに受信端末１３０を接続するとしても良いし，予め受信端末１３０を内蔵して一体形成するとしても良い。
【０１２７】
図１７は，送信端末１１０や受信端末１３０の外観例を示した説明図である。かかる送信端末１１０や受信端末１３０には，ペアリングスイッチ２１０と，モード切替スイッチ２１８と，端末選択スイッチ２２０とが設けられる。かかる操作部に関しては既に説明されているのでここでは詳細な説明を省略する。また，外部端子との接続部分には，ヘッドホンジャックを含むオーディオ端子６１２が設けられる。
【０１２８】
図１８は，受信端末１３０の他の実施形態を説明した説明図である。かかる受信端末１３０は，送信端末１１０からの無線信号をスピーカ等の音声出力装置から出力するためにアナログの電気信号を生成している。ここで，受信端末１３０の電源はＡＣアダプタから供給され，ペアリングスイッチ２１０と，モード切替スイッチ２１８と，送信端末１１０からの無線信号の受信感度を向上するための好感度アンテナ６１６が設けられている。
【０１２９】
図１９は，受信端末１３０の他の実施形態を説明した説明図である。かかる第２電子機器１２０は，カーステレオのカセットデッキ等の磁気カセットを利用できる状況下で，他の音声メディアを接続することができるカセット型信号変換器である。図１９の場合，受信端末１３０は，シガーソケットから電力が供給されるカセット型信号変換器のプラグに一体形成されている。
【０１３０】
図２０は，受信端末１３０の他の実施形態を説明した説明図である。かかる受信端末１３０は，ラジオ信号の入力に接続され，例えば，カーステレオのＦＭチューナーにミキシング出力する。従って，受信端末１３０は，送信端末１１０の無線信号を無線受信機６２０で受けた後，ＦＭモジュール６２２で変調し，他のＦＭ信号とＦＭミキサ６２４でミキシングされる。
【０１３１】
図２１は，受信端末１３０の他の実施形態を説明した説明図である。かかる受信端末１３０は，第２電子機器１２０としてのヘッドホンのリモコン６４０に接続されている。この受信端末１３０の給電は，ＵＳＢ充電等による２次電池から行われるとしても良い。また，予め設けられているリモコン６４０の各操作キーを利用して，ペアリングスイッチ２１０，モード切替スイッチ２１８，端末選択スイッチ２２０を実現することもできる。
【０１３２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１３３】
例えば，上述した実施形態においては，送信端末と受信端末間で認証ＩＤを確認して通信を開始しているが，互いにデータを暗号化または復号化するセキュリティモジュールを備えているとしても良く。このセキュリティモジュールは，耐タンパ性を有し，上記暗号化や復号化に用いる複数の鍵を管理することができる。
【０１３４】
また，上述した実施形態では，電子機器に対して送信端末や受信端末が別体に設けられた例を示しているが，かかる場合に限られず，製品として一体に形成することも勿論可能である。
【０１３５】
また，送信端末と受信端末を一体形成した場合に，送信専用，受信専用，両機能使用という機能の変更もスイッチ等により行うことができる。
【０１３６】
なお，本明細書のデータ送信方法およびデータ受信方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【図面の簡単な説明】
【０１３７】
【図１】第１の実施形態におけるデータ転送システムの概略的な構成を示したブロック図である。
【図２】第２の実施形態における送信端末の概略的な構成を示したブロック図である。
【図３】第２の実施形態による送信端末の概略的な構成を示した回路ブロック図である。
【図４】第３の実施形態における受信端末の概略的な構成を示したブロック図である。
【図５】第３の実施形態による受信端末の概略的な構成を示した回路ブロック図である。
【図６Ａ】，第４の実施形態におけるデータ送信方法およびデータ受信方法の処理の流れを示したフローチャートである。
【図６Ｂ】，第４の実施形態におけるデータ送信方法およびデータ受信方法の処理の流れを示したフローチャートである。
【図７】第５の実施形態における送信端末の概略的な構成を示したブロック図である。
【図８】受信端末の切り替えを説明するための説明図である。
【図９】受信端末の切り替え時に中断される音声もしくは映像のイメージを示した説明図である。
【図１０】送信端末の切り替えを説明するための説明図である。
【図１１】第１電子機器における送信端末の接続位置を説明するための説明図である。
【図１２】第１電子機器における送信端末の接続位置を説明するための説明図である。
【図１３】第１電子機器に送信端末を接続した状態を表した外観図である。
【図１４】第２電子機器における受信端末の接続位置を説明するための説明図である。
【図１５】第２電子機器における受信端末の接続位置を説明するための説明図である。
【図１６】第２電子機器における受信端末の接続位置を説明するための説明図である。
【図１７】送信端末や受信端末の外観例を示した説明図である。
【図１８】受信端末の他の実施形態を説明した説明図である。
【図１９】受信端末の他の実施形態を説明した説明図である。
【図２０】受信端末の他の実施形態を説明した説明図である。
【図２１】受信端末の他の実施形態を説明した説明図である。
【符号の説明】
【０１３８】
１００  第１電子機器
１１０  送信端末
１２０  第２電子機器
１３０  受信端末
２０２  送信通信部
２０４  ＩＤ取得要求部
２０６  ＩＤ判断部
２０８  ＩＤ記憶部
２１０，３１２  ペアリングスイッチ
２１２  ＩＤ登録部
２１４  Ａ／Ｄ変換部
２１６  信号送信部
２１８  モード切替スイッチ
２２０  端末選択スイッチ
３０２  受信通信部
３０４  ＩＣチップ
３０６  ＩＤ送信部
３０８  信号受信部
３１０  Ｄ／Ａ変換部
３１４  受信許可スイッチ
５００  中断出力部
【図１】
2007097009.tif 000003
【図２】
2007097009.tif 000004
【図３】
2007097009.tif 000005
【図４】
2007097009.tif 000006
【図５】
2007097009.tif 000007
【図６Ａ】
2007097009.tif 000008
【図６Ｂ】
2007097009.tif 000009
【図７】
2007097009.tif 000010
【図８】
2007097009.tif 000011
【図９】
2007097009.tif 000012
【図１０】
2007097009.tif 000013
【図１１】
2007097009.tif 000014
【図１２】
2007097009.tif 000015
【図１３】
2007097009.tif 000016
【図１４】
2007097009.tif 000017
【図１５】
2007097009.tif 000018
【図１６】
2007097009.tif 000019
【図１７】
2007097009.tif 000020
【図１８】
2007097009.tif 000021
【図１９】
2007097009.tif 000022
【図２０】
2007097009.tif 000023
【図２１】
2007097009.tif 000024